(57)【要約】      （修正有）【課題】効果的な気液接触ができ、かつ生成物の発生や汚れの滞留がない気液接触機構を提供する。【解決手段】充填塔の上部に配置されたトラフ状液分配器２１と下部に設置された液集合器２３との間に、一定期間ごとに波型構造と垂直構造の変換が可能な、複数のワイヤー状の充填体構成要素２６からなる多数の流路を区画する複数の規則充填体３５を設け、波型構造にすることにより気液接触効率をあげるとともに、垂直構造時に生成物および汚物を除去する。【選択図】図５
2013244484.tif 000002
【特許請求の範囲】
【請求項１】
向流で接触する気体と液体間の物質移動、熱交換又は混合を行う装置であって、装置の上部に配置された液分配器と装置の下部に設置された液集合器との間において多数の流路を区画する内部構造を有し、該内部構造は複数の規則充填体構成要からなり、該規則充填体構成要素を垂直構造と波型構造との間に変換可能とし、波型構造においては、隣の規則充填体構成要素との間に規則正しい接合部を成し、気液の接触効果をあげ、一定期間後垂直構造に変換することにより生成物及び汚物を除去することを特徴とする気液接触機構
【請求項２】
装置の内部に、上下貫通のカートリジボックスを設け、その上部に液分配器、その下部に液集合器と固定板を取り付け、液分配器と固定板の間に規則充填体を取り付け、隣り合う規則充填体の間に、一定間隔に軸及びスプロケット付きスペーサーを取り付けておき、規則充填体構成要素の垂直構造及び波型構造は、チェーンで繋がったスプロケットとスペーサーの同時回転にて行うことを特徴とする請求項１記載の気液接触機構
【請求項３】
規則充填体構成要素は、線状、帯状、網状、又は織物状で上部のトラフ状液分配器に懸架され該規則充填体構成要素の下端は該液集合器に設けられた固定板に固定されることを特徴とする請求項１または２の気液接触機構
【発明の詳細な説明】
【背景技術】垂直構造の規則充填物構成要素は、図１、（ａ），（ａ’），及び図５にて説明する如く、線状を伝い降下する液体流は垂直に降下する。上昇気体も垂直に上昇する為、気液の接触効果が少ない。
【発明の概要】
これに比べ本発明の波型構造の場合、線状を伝い降下する液体流は波型に降下する。（図１、（ｂ），（ｂ’）及び図４）
【発明の効果】垂直に上昇する気体流は、液体流を突き破って上昇せざるを得なくなる為、激しい気液の接触が行われる。即ち効果的な気液の接触が繰り返される。
一方、効率的な気液の接触の結果、接合部に生成物の発生や汚れの滞留が起こる。
本発明は、このような現象が起きた時、元の垂直構造に切り替え生成物や汚れの落下を促進できる。図２、（ａ），（ａ’），（ｂ），（ｂ’）
即ち、効率的な運転と、生成物や汚れの排出を瞬時に切り替えて行えるという大きな効果を得る。
カートリッジボックスは、スプロケットとチェーンの取り付けをた易くすると同時に製作のコストダウンに大きく貢献する。図３、図６。
【発明を実施する為の形態】
図１（ａ）は、垂直構造の正面図、１、は線状規則充填体構成要素、２、はトラフ型ディストリビューターを示す。
線状はディストリビューターに懸架されている。矢印は上昇の気体流を表す。図示の如く１．の線状を伝う液体流と、上昇の気体流は平行にすれ違い、気液の接触効果は少ない。
図１（ａ’）は、垂直構造の側面図、３、はスリットである。
図１（ｂ）は、波型構造の正面図、４、は接合部。矢印は上昇の気体流を表す。１、の線状を伝う液体流と交差しながら上昇する為、激しく衝突を繰り返し、気液の接触効果が上がる。
図１（ｂ’）は、波型構造の側面図を示す。
図２（ａ）は、垂直構造の正面図、５、はスペーサー、６、は軸、ディストリビューター直下のスペーサーは、一定間隔で配置されている。ディストリビューター間のスペーサーは、半ピッチずらして配置されている。スペーサーは、垂直方向位置にある。
図２（ａ’）は、軸の前部のスプロケット及びチェーンを表す。７、スプロケット  ８、チェーンを示す。
図２（ｂ）は、波型構造の正面図、スペーサーは、水平位置。従って４、接合部が一定間隔で出来上がる。
図２（ｂ’）は、軸の前部のスプロケット及びチェーンを表す。最上部のスプロケットが駆動軸である。
図３（ａ）は，カートリッジボックス内のスペーサー、軸及びスプロケットの配置図である。
５、スペーサー（水平位置）  ５１は、枠  ５２は、ロッド    ６、軸    ’７、スプロケットを示す。
図３（ｂ）は、スペーサー、軸の正面図である。
図３（ｃ）は、スプロケット、軸の正面図である。
図４は、線状の規則充填体構造要素（波型構造）、ディストリビューター、スペーサー及び軸（水平位置）を表す立面図である。
図５は、従来の気液接触装置を示す。
図５−（ａ）において、気体と液体間の物質移動等のために気液接触を行なう規則充填体を収容する充填塔２０は上下方向に長い円筒状の塔で、その上部には気液接触の対象物である液体を下方の規則充填体に分配するためのトラフ状の液分配器２１が配置されている。液分配器２１には液供給管２２を介して液体が供給される。充填塔２０の下部には気液接触を完了した液体を収集する箱状の液集合器２３が配置されている。液集合器２３は液体取り出し口２５に連通している。
塔２０の下部側壁には気液接触の対象となる気体の流入口２９が開口しており、塔２０の頂部には気液接触を完了した気体の流出口３２が開口している。
塔２０内には、上から、液分配器２１に連結された複数のワイヤー状の充填体構成要素２６からなる規則充填体３５が配置されている。
規則充填体３５は、多数の垂直方向に延長するワイヤー状充填体構成要素２６が相互に所定間隔を維持した状態で、すなわち隣り合う充填体構成要素２６どうしが非接触状態で平行に配置されている。各充填体構成要素２６は塔２０の内壁とも非接触状態を維持するように配置されている。
図６において、上下が貫通したカートリッジボックス（４０）の上部にトラフ型ディストリビューターが取り付けられている。線状の規則充填体構造要素はディストリビューターに懸架され、下部の固定板に接合されている。固定板で集液された液体は、コレクタートラフに入パイプより排出される。カートリッジボックスは、本発明のスペーサーの軸の受け器として働き、軸に連続したスプロケット及びこれに連結したチェーンの取り付けには、理想的な構造を提供する。
更に、定型化されたカートリッジボックスは、製作上の量産効果を生み製造コストの低減に大きく役立つ効果を併せ持つ。
【図１】
2013244484.tif 000003
【図２】
2013244484.tif 000004
【図３】
2013244484.tif 000005
【図４】
2013244484.tif 000006
【図５】
2013244484.tif 000007
【図６】
2013244484.tif 000008
【手続補正書】
【提出日】平成24年8月22日(2012.8.22)
【手続補正２】
【補正対象書類名】明細書
【補正対象項目名】全文
【補正方法】変更
【補正の内容】
【発明の詳細な説明】
【背景技術】垂直構造の規則充填物構成要素は、図１、（ａ），（ａ’），及び図５にて説明する如く、線状を伝い降下する液体流は垂直に降下する。上昇気体も垂直に上昇する為、気液の接触効果が少ない。
【発明の概要】
これに比べ本発明の波型構造の場合、線状を伝い降下する液体流は波型に降下する。（図１、（ｂ），（ｂ’）及び図４）
【発明の効果】垂直に上昇する気体流は、液体流を突き破って上昇せざるを得なくなる為、激しい気液の接触が行われる。即ち効果的な気液の接触が繰り返される。
一方、効率的な気液の接触の結果、接合部に生成物の発生や汚れの滞留が起こる。
本発明は、このような現象が起きた時、元の垂直構造に切り替え生成物や汚れの落下を促進できる。図２、（ａ），（ａ’），（ｂ），（ｂ’）
即ち、効率的な運転と、生成物や汚れの排出を瞬時に切り替えて行えるという大きな効果を得る。
カートリッジボックスは、スプロケットとチェーンの取り付けをた易くすると同時に製作のコストダウンに大きく貢献する。図３、図６
【図面の簡単な説明】
【図１】本発明にかかる気液接触機構の実施形態を模式的に示す断面図である。
【図２】上記実施形態におけるスペーサーの駆動方法を示す断面図である。
【図３】上記実施形態におけるスペーサーの構造を示す断面図である。
【図４】本発明の実施形態を模試気的に示す斜視図である。
【図５】従来の気液接触装置を示す斜視図である。
【図６】従来の気液接触装置を示す斜視図である。
【発明を実施する為の形態】
図１（ａ）は、垂直構造の正面図、１、は線状規則充填体構成要素、２、はトラフ型ディストリビューターを示す。
線状はディストリビューターに懸架されている。矢印は上昇の気体流を表す。図示の如く１．の線状を伝う液体流と、上昇の気体流は平行にすれ違い、気液の接触効果は少ない。
図１（ａ’）は、垂直構造の側面図、３、はスリットである。
図１（ｂ）は、波型構造の正面図、４、は接合部。矢印は上昇の気体流を表す。１、の線状を伝う液体流と交差しながら上昇する為、激しく衝突を繰り返し、気液の接触効果が上がる。
図１（ｂ’）は、波型構造の側面図を示す。
図２（ａ）は、垂直構造の正面図、５、はスペーサー、６、は軸、ディストリビューター直下のスペーサーは、一定間隔で配置されている。ディストリビューター間のスペーサーは、半ピッチずらして配置されている。スペーサーは、垂直方向位置にある。
図２（ａ’）は、軸の前部のスプロケット及びチェーンを表す。７、スプロケット  ８、チェーンを示す。
図２（ｂ）は、波型構造の正面図、スペーサーは、水平位置。従って４、接合部が一定間隔で出来上がる。
図２（ｂ’）は、軸の前部のスプロケット及びチェーンを表す。最上部のスプロケットが駆動軸である。
図３（ａ）は，カートリッジボックス内のスペーサー、軸及びスプロケットの配置図である。
５、スペーサー（水平位置）  ５１は、枠  ５２は、ロッド  ６、軸  ’７、スプロケットを示す。
図３（ｂ）は、スペーサー、軸の正面図である。
図３（ｃ）は、スプロケット、軸の正面図である。
図４は、線状の規則充填体構造要素（波型構造）、ディストリビューター、スペーサー及び軸（水平位置）を表す立面図である。
図５は、従来の気液接触装置を示す。
図５−（ａ）において、気体と液体間の物質移動等のために気液接触を行なう規則充填体を収容する充填塔２０は上下方向に長い円筒状の塔で、その上部には気液接触の対象物である液体を下方の規則充填体に分配するためのトラフ状の液分配器２１が配置されている。液分配器２１には液供給管２２を介して液体が供給される。充填塔２０の下部には気液接触を完了した液体を収集する箱状の液集合器２３が配置されている。液集合器２３は液体取り出し口２５に連通している。
塔２０の下部側壁には気液接触の対象となる気体の流入口２９が開口しており、塔２０の頂部には気液接触を完了した気体の流出口３２が開口している。
塔２０内には、上から、液分配器２１に連結された複数のワイヤー状の充填体構成要素２６からなる規則充填体３５が配置されている。
規則充填体３５は、多数の垂直方向に延長するワイヤー状充填体構成要素２６が相互に所定間隔を維持した状態で、すなわち隣り合う充填体構成要素２６どうしが非接触状態で平行に配置されている。各充填体構成要素２６は塔２０の内壁とも非接触状態を維持するように配置されている。
図６において、上下が貫通したカートリッジボックス（４０）の上部にトラフ型ディストリビューターが取り付けられている。線状の規則充填体構造要素はディストリビューターに懸架され、下部の固定板に接合されている。固定板で集液された液体は、コレクタートラフに入パイプより排出される。カートリッジボックスは、本発明のスペーサーの軸の受け器として働き、軸に連続したスプロケット及びこれに連結したチェーンの取り付けには、理想的な構造を提供する。
更に、定型化されたカートリッジボックスは、製作上の量産効果を生み製造コストの低減に大きく役立つ効果を併せ持つ。
【符号の説明】１  線状規則充填体構成要素
２  トラフ型ディストリビューター
４  接合部
５  スペーサー
６  軸
７  スプロケット
８  チェーン